(57)【要約】   本発明は、照明分野に関し、ＬＥＤ（Ｌ）用の改良型レンズ（１）に関連しており、このレンズは、略円錐台または円形放物体形状であり、外向きのより大きな基部（３）、および支持基部（１１）に結合された電子ボード（６）に対応付けられたＬＥＤ（Ｌ）を特定のくぼみ（５）に収容するように配置されたより小さな基部（４）を有する光学体（２）と、該より大きな基部（３）に対応付けられる頂部閉鎖壁（１３）と、該光学体（２）および該頂部閉鎖壁（１３）と一体式の側壁（７）であり、該光学体（２）の側面（２’）と、該壁（７）の内側の面（７’）と、頂部閉鎖壁（１３）と、該支持基部（１１）に対応付けられた該電子ボード（６）の面の間に形成される一定の空間容積（Ｖ）を定めるように配置された側壁（７）を備えており、該レンズ（１）が、堅固な成形ブロック（８）を備えており、このブロックが、該空間容積（Ｖ）を満たし、該側壁（７）と結合し、締まり嵌めによってこの側壁と協働する。【選択図】図１
2013525953.tif 000002
【特許請求の範囲】
【請求項１】
−略円錐台または円形放物体形状を有し、外向きのより大きな基部（３）と、支持基部（１１）に結合された電子ボード（６）に対応付けられたＬＥＤ（Ｌ）を特定のくぼみ（５）に収容するように配置されたより小さな基部（４）を備える光学体（２）と、
−該光学体（２）の該より大きな基部（３）に対応付けられる頂部閉鎖壁（１３）と、
−前記光学体（２）および該頂部閉鎖壁（１３）と一体式の側壁（７）であり、一定の空間容積（Ｖ）を定めるように配置され、該空間容積（Ｖ）が、前記光学体（２）の側面（２’）と、前記壁（７）の内側の面（７’）と、前記頂部閉鎖壁（１３）と、前記支持基部（１１）に対応付けられた前記電子ボード（６）の面の間に形成される側壁（７）を備えたＬＥＤ用の改良型レンズであって、
堅固な成形ブロック（８）を備えており、該ブロックが前記空間容積（Ｖ）を満たし、前記側壁（７）に結合するように配置されることで、締まり嵌めによって該壁と協働することを特徴とするＬＥＤ（Ｌ）の改良型レンズ（１）。
【請求項２】
前記ブロック（８）の前記電子ボード（６）を向く面（８’）が、前記側壁（７）の底部縁部（７’）と同じ高さに配置されることを特徴とする、請求項１に記載のＬＥＤ（Ｌ）の改良型レンズ（１）。
【請求項３】
前記ブロック（８）が、前記支持基部（１１）および／または前記電子ボード（６）に設けられた対応する穴（１０）に挿入されるように配置された複数の支持足（９）を備えることを特徴とする、請求項１に記載のＬＥＤ（Ｌ）の改良型レンズ（１）。
【請求項４】
前記ブロック（８）が、高耐性の材料で作製されることを特徴とする、請求項１に記載のＬＥＤ（Ｌ）の改良型レンズ（１）。
【請求項５】
前記ブロック（８）が、ポリマー材料製であることを特徴とする、請求項４に記載のＬＥＤ（Ｌ）の改良型レンズ（１）。
【請求項６】
前記ポリマー材料がポリカーボネートであることを特徴とする、請求項５に記載のＬＥＤ（Ｌ）の改良型レンズ（１）。
【請求項７】
請求項１から６の少なくとも一項に記載のＬＥＤ（Ｌ）用の改良型レンズ（１）を備えることを特徴とするＬＥＤ照明器具。
【発明の詳細な説明】
【技術分野】
【０００１】
本発明は、照明の分野に関し、より詳細には本発明は、様々なタイプの照明装置および本体に関連する照明システムにおいて使用可能なＬＥＤ用の改良型レンズに関するものである。
【背景技術】
【０００２】
ＬＥＤ用のレンズは、同一出願人によるイタリア特許出願第ＣＲ２００９Ａ００００２３号より知られており、このレンズは、例えばメタクリレートなどのプラスチック材料で作製されており、特定の光および照明効果を生み出す目的で単一のＬＥＤに対応付けられるように配列されている。
【０００３】
該レンズは基本的に内部の光学体と、側壁と、頂部の閉鎖壁を備えている。
【０００４】
該光学体は、略円錐台または放物体形状であり、該頂部閉鎖壁に対応付けられるより大きな基部と、ＬＥＤを挿入することができる特定のくぼみを備えたより小さな基部を備えている。
【０００５】
該ＬＥＤは、他のＬＥＤと共に、支持基部に結合された電子ボードに対応付けられている。
【０００６】
該頂部閉鎖壁は、滑らかな、または規則的な幾何学的なレリーフパターンによって好適に処理された面を有することで、ＬＥＤによって放出される光をいろいろなやり方で誘導することができる。
【０００７】
該側壁は、該光学体を囲むように配置されることで、埃、蒸気および気体がこの本体を汚し、レンズの効果を低下させるのを防いでおり、このレンズ内に一定の明確な空間容積を定めている。
【０００８】
具体的にはレンズが所定の位置にあるとき、該空間容積は、該頂部閉鎖壁と、該光学体の側面と、該側壁の内側の面と、該支持基部に結合された該電子ボードの面で形成されている。
【０００９】
該側壁が、該光学体および該頂部閉鎖壁と一体式であることにより、１つのブロック要素を形成しており、それらは、該支持基部に設けられた対応する穴に挿入されるように配置された複数の支持足を備える。
【００１０】
このようなＬＥＤ用のレンズにはいくつかの制限と欠点がある。
【００１１】
ＬＥＤに設置される際、各々のレンズは、空気が満たされた一定の空間容積を取り囲み、中に収容されたＬＥＤをつけたり消したりする際、あるいは周辺環境の温度が急変したとき、この空間容積が温度差により拡張したり圧縮されたりする場合がある。結果としてレンズ内に圧力や真空が生成され、これにより空気、気体、蒸気および埃の入り口が形成される可能性があり、これに対応付けられたＬＥＤの作用に悪影響を及ぼす恐れがある。極端な例では、それらによって、薄いメタクリレート面でできているレンズの側壁が破損する場合もある。
【００１２】
したがってこのようなタイプのレンズでは、中のＬＥＤを気体、埃または液体から完全に隔離することは不可能であり、この組立体がそのままである間は、レンズの下に取り込まれた空気量を維持することもできない。
【００１３】
レンズをＬＥＤに対して組み立てる際、該壁の底部縁部と、支持基部に対応付けられた該電子ボードの面の間に密閉材料を介在させることは可能であるが、都合の悪いことには、固定面は側壁の厚さによって表されるため極めて小さくなり、確実に密閉されない。
【００１４】
したがって簡潔に言えば、このようなレンズを照明器具において利用することは、破裂のリスクを伴うことにより環境におけるその利用に悪影響を及ぼし、さりとて密閉された筐体を利用することは、高価であり照明効果に悪影響を及ぼすため、その用途は、例えば産業分野などに大きく制限される。
【先行技術文献】
【特許文献】
【００１５】
【特許文献１】イタリア特許出願第ＣＲ２００９Ａ００００２３号
【発明の概要】
【発明が解決しようとする課題】
【００１６】
本発明の目的は、このような欠点をなくし、従来のレンズに比べて機能的な性能を向上させることである。
【課題を解決するための手段】
【００１７】
具体的には本発明は、
−レンズ内に含まれる空気量を最小限にすることで、過剰な正圧および／または負圧変動を阻止し、
−レンズを、気体、埃および液体に対して完璧に密閉することで、より幅広の密閉面を形成し、
−接続壁を強化することでその機械的耐性を高めることを目的としている。
【００１８】
このような目的は、ＬＥＤ用の改良型レンズによって実現され、このレンズは、
−略円錐台または円形放物体形状を有し、外向きのより大きな基部と、支持基部に結合された電子ボードに対応付けられたＬＥＤを特定のくぼみに収容するように配置されたより小さな基部を備える光学体と、
−該光学体の該より大きな基部に対応付けられる頂部閉鎖壁と、
−該光学体および該頂部閉鎖壁と一体式の側壁であり、一定の空間容積を定めるように配置され、該空間容積が、該光学体の側面と、該壁の内側の面と、該頂部閉鎖壁と、該支持基部に対応付けられた該電子ボードの面の間に形成される側壁を備えており、
堅固な成形ブロックを備えており、このブロックが該空間容積を満たし、該側壁に結合するように配置されることで、締まり嵌めによってそれと協働することを特徴としている。
【００１９】
本発明の好ましい一態様によると、該電子ボードに向く該ブロックの面は、該側壁の底部縁部と同じ高さに配置される。
【００２０】
本発明のさらに好ましい一態様によると、該ブロックは、該電子ボードおよび／または該支持基部に設けられた対応する穴に挿入されるように配置された複数の支持足を備える。
【００２１】
有利には該ブロックは、高耐性の材料で作製されており、好ましくはポリマー製、およびさらに好ましくはポリカーボネート製である。
【００２２】
このような利点は、上記に挙げた構造態様によるものであり、レンズの機能的な性能をより高めることで成り立っている。
【００２３】
具体的にはポリカーボネート製のブロックがあることにより、
−レンズによって囲まれる空気量を実質的にゼロまで減らし、該空気量の膨張や収縮に起因する危険を伴う急激な圧力変動の開始を阻止し、
−より大きな固定面を設け、そこに密閉材料を適用することで、ＬＥＤを完璧に隔離し、レンズを気体、埃および液体に対して密閉し、
−側壁を強化することでレンズ全体により大きな機械耐性を与えている。
【００２４】
さらに側壁ではなく、該ブロック上に直接配置された支持足があることで、ＬＥＤに対してレンズをより簡単に位置決めすることが可能になり、これは２つのステップに分かれており、すなわちブロックをＬＥＤに適用し、それに対して密閉する第１ステップと、光学体、側壁および頂部閉鎖壁で構成される１つのブロックレンズ要素のブロックに対する締まり嵌めによって結合させる第２ステップに分かれている。
【００２５】
密閉材料を使用してＬＥＤを隔離する場合、それをブロックに対して直接適用する方が簡単であり、１つのブロック要素はその後しばらく経って初めて位置決めされるため、適用量がより適切に調節され、該材料が過剰になった場合に漏れることにより、汚れないように保護される。
【００２６】
本発明の上記のおよび他の利点は、以下の好ましい一実施形態の記載からより明らかになるはずであり、この記載は、図面を参照して暗示的かつ非制限的な例として作製されている。
【図面の簡単な説明】
【００２７】
【図１】本発明により作製された、ＬＥＤ用の改良型レンズの垂直面による部分的な切り欠き分解組立図である。
【図２】使用する際に組み立てられた、ＬＥＤ用の改良型レンズの垂直面による切り欠き図である。
【図３】図１のレンズの部分的な切欠き不等角投影図である。
【図４】本発明による該ＬＥＤ用の改良型レンズの特定の構成要素の頂部図である。
【図５】本発明による該ＬＥＤ用の改良型レンズの特定の構成要素の底部図である
【発明を実施するための形態】
【００２８】
図１〜３を参照すると、ＬＥＤ（Ｌ）用の改良型レンズ１は基本的に、光学体２と、側壁７と頂部閉鎖壁１３を備えており、互いと一体になることで１つのブロック要素を形成する。
【００２９】
該光学体２は、略円錐台または円形放物体形状であり、外向きのより大きな基部３と、使用する際、ＬＥＤ（Ｌ）を特定のくぼみ５に収容するように配置されたより小さな基部４を有する。
【００３０】
該ＬＥＤ（Ｌ）は、好適な支持基部１１に結合された電子ボード６に対応付けられている。
【００３１】
また該頂部閉鎖壁１３は、該より大きな基部３に対応付けられ、光学的機能を有しており、滑らかな、あるいは規則的な幾何学的な浮き上がった隆起を有するように好適に処理されることで、ＬＥＤによって放出される光を好適に誘導する。
【００３２】
該側壁７は、光学体２を外部環境から切り離すように配置されており、該頂部閉鎖壁１３と、該光学体２の側面２’と、該側壁７の内側の面７’と、該電子ボード６のＬＥＤ（Ｌ）が対応付けられる面の間に一定の空間容積Ｖを定める。
【００３３】
該レンズ１はさらに、堅固な成形ブロック８を備えており、このブロックは、該光学体２と、該接続壁７と、該頂部閉鎖壁１３で構成された１つのブロック要素の該空間容積Ｖを満たし、該壁７との締まり嵌めによって結合するように配置されている。
【００３４】
具体的には該ブロック８の該電子ボード６を向く面８’は、該側壁７の底部縁部７”と同じ高さに配置され、該縁部７”の表面と比べてかなり大きな表面を有するため、ボード６または支持基部１１に対してかなり大きな支持領域が与えられる。
【００３５】
したがってこのような面８’によって、例えば酢酸系シリコンなどの弾性密閉材料１２の層を介挿させることにより、気体、蒸気および埃から密閉されるようにしてブロック８をボード６または基部１１に対応付けることが可能になる。
【００３６】
該ブロック８はさらに、該支持基部１１に、および任意選択で該電子ボード６に設けられた対応する穴１０に挿入されるように配置された複数の支持足９を備えている。
【００３７】
特に図４および図５を参照すると、該ブロック８は、特に耐性のあるプラスチックポリマー、例えばポリカーボネートで作製されており、主要な面８’を有しており、この面は、該電子ボード６に向けるのに適した面であり、該光学体２のより小さな基部４を収容するのに適した中心穴を備えた略正方形であり、該支持足９は、該面の４角に配置される。
【００３８】
ＬＥＤ（Ｌ）用の改良型レンズ１は一般に、４つの側面を備えた多角形であるが、それは、構造要件に関連して、あるいは異なる照明効果を得るための様々な可能な用途に関連して容易に六角形、八角形または円形の基部を採ることもできる。
【００３９】
結果として該ブロックの該電子ボードを向く面は、該ブロックが対応付けられるＬＥＤ用レンズの一般的な形状によって様々な多角形形状を採ることができる。
【００４０】
頂部閉鎖壁１３の表面は、滑らかであっても、あるいは平等に処理されてもよく、当然のことながら、本発明は、複数の形状、寸法および処理タイプで具現化することができ、多様なＬＥＤ照明装置に挿入されるように適合されている。
【００４１】
本発明の使用方法は、以下の通りである。
【００４２】
第１のステップによって、ＬＥＤ（Ｌ）が接続される電子ボード６を支持基部１１に対して、両方の構成要素に設けられた穴１０を合致させるようにして特に注意して結合させる。  
【００４３】
続いて該ブロック８が、ＬＥＤ（Ｌ）と対応関係になるように電子ボード６に対応付けられ、支持足９を該穴１０に挿入する。
【００４４】
ＬＥＤ（Ｌ）を周辺環境から確実に完全に隔離するために、該ブロック８の主要な面８’が、電子ボード６の外面に対して配置されるのと同時に、密閉材料１２の層を介挿させることが必要である。
【００４５】
該密閉材料が有利には弾性材料でできていることにより、支持基部や電子ボードの熱膨張が補償され、かつ吸収され、レンズの脱離や微細な亀裂の形成を回避する。好ましくは該弾性の密閉材料は、酢酸系シリコンである。
【００４６】
その後光学体２と、側壁７と頂部閉鎖壁１３で構成されたレンズ１の１つのブロック要素が、該成形ブロック８に対する締まり嵌めによって挿入され、電子ボード６の外面または支持基部１１の外面にレンズ１の壁７の底部縁部７”を載せる。
【００４７】
ブロック８は、側壁と、頂部閉鎖壁と、光学体と、電子ボードの間に形成された空間容積Ｖを完全に占拠し、取るに足りない量や些末な量を別にしてレンズ内には空気がないようにする。
【００４８】
上にＬＥＤが設置される該レンズと該電子ボードの接触および密閉面が幅広であることから、良好な空気密閉および機械的な密閉が保証される。
【００４９】
１つのＬＥＤが周辺環境から完全に隔離されるため、レンズ全体に関して気体、埃および液体に対する最大限の密閉、ならびにＬＥＤがショートまたは故障した場合にも、破損や破裂するリスクがなく経時的に効果的な良好な照明が保証される。
【００５０】
当業者には明らかであるように、１つの光拡散要素に加えて、本発明を複数のＬＥＤに対応付けて使用することで、天井ランプ、ランプおよび実際の照明本体を最も多い形状および寸法で作製することもでき、上記に記載した利点は常に達成される。
【符号の説明】
【００５１】
１  ＬＥＤ用の改良型レンズ
２  光学体
３  より大きな基部
４  より小さな基部
５  くぼみ
６  電子ボード
７  側壁
７’  側壁の内側面
７”  側壁の底部縁部
８  成形ブロック
８’  ブロックの主要な面
９  支持足
１０  穴
１１  支持基部
１２  密閉材料
１３  頂部閉鎖壁
Ｌ  ＬＥＤ  
Ｖ  空間容積
【図１】
2013525953.tif 000003
【図２】
2013525953.tif 000004
【図３】
2013525953.tif 000005
【図４】
2013525953.tif 000006
【図５】
2013525953.tif 000007
【国際調査報告】
2013525953.tif 000008
2013525953.tif 000009
2013525953.tif 000010